(57)【要約】【課題】外部端末と電子装置の動作を保障することが可能な通信端末を提供すること。【解決手段】外部装置と通信可能な電子装置を接続し、この電子装置と外部装置との通信を仲介する通信端末は、前記電子装置を接続する接続手段と、前記接続手段に接続された前記電子装置と通信し、この電子装置と前記外部装置との通信に必要な通信必要情報を取得する取得手段と、前記取得手段により取得された前記通信必要情報を記憶する記憶手段と、前記記憶手段に記憶された前記通信必要情報に基づき、前記電子装置と前記外部装置との通信を制御する通信制御手段とを備えている。【選択図】図１
2007094918.tif 000002
【特許請求の範囲】
【請求項１】
外部装置と通信可能な電子装置を接続し、この電子装置と外部装置との通信を仲介する通信端末であって、
前記電子装置を接続する接続手段と、
前記接続手段に接続された前記電子装置と通信し、この電子装置と前記外部装置との通信に必要な通信必要情報を取得する取得手段と、
前記取得手段により取得された前記通信必要情報を記憶する記憶手段と、
前記記憶手段に記憶された前記通信必要情報に基づき、前記電子装置と前記外部装置との通信を制御する通信制御手段と、
を備えたことを特徴とする通信端末。
【請求項２】
外部装置と通信可能な電子装置を接続し、この電子装置と外部装置との通信を仲介する通信端末であって、
前記電子装置を接続する接続手段と、
前記接続手段に接続された前記電子装置と通信し、この電子装置と前記外部装置との通信の開始に必要な通信種別情報及び初期応答情報を取得する取得手段と、
前記取得手段により取得された前記通信種別情報及び前記初期応答情報を記憶する記憶手段と、
前記記憶手段に記憶された前記通信種別情報及び前記初期応答情報に基づき、前記電子装置と前記外部装置との通信の開始を制御する通信制御手段と、
を備えたことを特徴とする通信端末。
【請求項３】
外部装置と通信可能な電子装置を接続し、この電子装置と外部装置との通信を仲介する通信端末であって、
前記電子装置を接続する接続手段と、
前記接続手段に対して前記電子装置が接続されたタイミングで前記電子装置と通信し、この電子装置の通信プロトコル情報及び初期応答情報を取得する取得手段と、
前記取得手段により取得された前記通信プロトコル情報及び前記初期応答情報を記憶する記憶手段と、
前記外部装置からの通信開始の要求を受けたタイミングで、前記記憶手段に記憶された前記通信プロトコル情報及び前記初期応答情報に基づき、前記電子装置と前記外部装置との通信の開始を制御する通信制御手段と、
を備えたことを特徴とする通信端末。
【請求項４】
前記通信制御手段は、
前記記憶手段に記憶された情報を利用した前記電子装置と前記外部装置との間接的な通信と、前記電子装置と前記外部装置との直接的な通信とを所定のタイミングで切り替え制御することを特徴とする請求項１、２、又は３に記載の通信端末。
【請求項５】
前記通信制御手段は、
前記電子装置と前記外部装置との通信開始のタイミングで前記記憶手段に記憶された情報を利用した前記電子装置と前記外部装置との間接的な通信を実行し、その後、前記電子装置と前記外部装置との直接的な通信を実行することを特徴とする請求項１、２、又は３に記載の通信端末。
【請求項６】
通信端末を介して外部装置と通信する電子装置であって、
前記通信端末と接続する接続手段と、
前記外部装置と通信する前に前記接続手段を介して前記通信端末と通信し、前記通信端末に前記外部装置との通信に必要な通信必要情報を収集させてから、前記外部装置と通信する通信手段と、
を備えたことを特徴とする電子装置。
【請求項７】
通信端末を介して外部装置と通信する電子装置であって、
前記通信端末と接続する接続手段と、
前記接続手段に対して前記通信端末が接続されたタイミングで前記通信端末と通信し、前記通信端末に前記外部装置との通信に必要な通信プロトコル情報及び初期応答情報を収集させて、前記通信端末により収集された前記通信プロトコル情報及び前記初期応答情報に基づく前記外部装置と間接的に通信を開始した後に、前記外部装置と直接的に通信する通信手段と、
を備えたことを特徴とする電子装置。
【発明の詳細な説明】
【技術分野】
【０００１】
本発明は、ＩＣカードやＳＤカードなどのカード型携帯可能電子装置を挿入可能（接続可能）で、カード型携帯可能電子装置と外部装置との通信を仲介する機能を有する携帯電話等の通信端末に関する。また、本発明は、このような通信端末に挿入（接続）されて利用される通信端末に適用可能なカード型携帯可能電子装置に関する。
【背景技術】
【０００２】
近年、携帯電話にはインターネット接続機能やＣＣＤカメラなどが搭載されて多機能化が進んでいる。その多機能化の１つに現金を使用せずにキャッシュレスで決済処理を行う、いわゆる、電子マネー機能がある。なお、電子マネー機能はカード型携帯可能電子装置の一種であるＩＣカードを利用したシステムが普及しており、通信プロトコルやコマンドはＩＳＯ／ＩＥＣ７８１６や１４４４３に準拠したものが一般的である。
【０００３】
この電子マネー機能は携帯電話に最初から搭載されるものもあるが、カード型携帯可能電子装置に搭載されている決済アプリケーションを利用する方法も想定される。このようなカード型携帯可能電子装置を使用する電子機器に関する各種技術が開示されている（特許文献１、２参照）。
【特許文献１】特開２００３−２８１４７７
【特許文献２】特開２００３−６７６８５
【発明の開示】
【発明が解決しようとする課題】
【０００４】
しかし、この決済アプリケーションを利用するためには携帯電話を経由して、外部端末とカード型携帯可能電子装置（決済アプリケーション）が通信を行う必要があり、携帯電話を経由したシステム構成であっても外部端末はそのことを認識出来ないためＩＣカードがそのまま使用されている時と同様な動作が保障されなければならない。
【０００５】
しかしながら、携帯電話を経由してのカード型携帯可能電子装置に搭載されている決済アプリケーションの利用においては、ＩＣカードがそのまま使用されている時と同様な動作は保障されていない。
【０００６】
本発明の目的は、上記課題を解決するためになされたものであり、外部端末と電子装置の動作を保障することが可能な通信端末を提供することにある。また、本発明の目的は、このような通信端末に適用可能な電子装置を提供することにある。
【課題を解決するための手段】
【０００７】
この発明の通信端末及び通信端末に適用可能な電子装置は、以下のように構成されている。
【０００８】
（１）この発明の通信端末は、外部装置と通信可能な電子装置を接続する接続手段と、前記接続手段に接続された前記電子装置と通信し、この電子装置と前記外部装置との通信に必要な通信必要情報を取得する取得手段と、前記取得手段により取得された前記通信必要情報を記憶する記憶手段と、前記記憶手段に記憶された前記通信必要情報に基づき、前記電子装置と前記外部装置との通信を制御する通信制御手段とを備えている。
【０００９】
（２）この発明の電子装置は、通信端末を介して外部装置と通信する電子装置であって、前記通信端末と接続する接続手段と、前記外部装置と通信する前に前記接続手段を介して前記通信端末と通信し、前記通信端末に前記外部装置との通信に必要な通信必要情報を収集させてから、前記外部装置と通信する通信手段とを備えている。
【発明の効果】
【００１０】
本発明によれば、外部端末と電子装置の動作を保障することが可能な通信端末を提供できる。また、本発明によれば、このような通信端末に適用可能な電子装置を提供できる。
【発明を実施するための最良の形態】
【００１１】
以下、図面を参照し、本発明の実施形態について説明する。
【００１２】
図１は、本発明の一例の携帯電話（通信端末）及びこの携帯電話に適用可能なカード型携帯可能電子装置を説明するための図である。図２は、図１に示す携帯電話及びカード型携帯可能電子装置を利用した決済システムを説明するための図である。
【００１３】
図１に示すように、カード型携帯可能電子装置（以下、ＳＤカード２０）は、ＳＤＡ（ＳＤ  Ｃａｒｄ  Ａｓｓｏｃｉａｔｉｏｎ）規格に準拠した著作権保護などのためのセキュリティ機能を備えたＣＰＵ付きの記憶媒体である。例えば、ＳＤカード２０は、ＣＰＵ２１、記憶部２２、接続部２３を備えている。
【００１４】
一方の携帯電話１０は、ＣＰＵ１１、カードスロット１２、無線Ｉ／Ｆ（Ｉｎｔｅｒｆａｃｅ）１３、ＮＶ（Ｎｏｎ−Ｖｏｌａｔｉｔｅ）メモリ１４、操作入力部１５を備えている。カードスロット１２は、ＳＤカード２０を挿入可能（接続可能）に構成されている。このカードスロット１２と接続部２３とが接続され、携帯電話１０とＳＤカード２０との間でのデータ送受信が可能となる。無線Ｉ／Ｆ１３は、決済システムの端末（外部装置）と通信を行う。ＣＰＵ１１は、カードスロット１２を介してのＳＤカード２０との通信、及び無線Ｉ／Ｆ１３を介しての決済システムの端末（外部装置）との通信を制御する。ＮＶメモリ１４は、通信制御情報や通信データを保管する。なお、通話やメール送受信などの機能を実現する構成要素は、本発明とは直接、関係無いため、これについての説明は割愛する。
【００１５】
図２に示すように、決済システムは、携帯電話１０と無線通信するための無線端末３０、購入商品の合計額や実際の決済処理を行うＰＯＳ端末３１を備える。無線端末３０は、自動販売機やＰＯＳシステムなどに接続されている電子マネーのリーダライタである。
【００１６】
この決済システムには、例えばＩＳＯ／ＩＥＣ１４４４３に準拠した無線通信プロトコルが使用される。ＩＳＯ／ＩＥＣ１４４４３では、通信開始の際に無線端末側よりＩＣカード（ＩＣカード機能を有する携帯電話１０）へＲＥＱ（Ｒｅｑｕｅｓｔ）コマンドが送信され、そのレスポンスとしてＩＣカード（ＩＣカード機能を有する携帯電話１０）側よりＡＴＱ（Ａｎｓｗｅｒ  Ｔｏ  Ｒｅｑｕｅｓｔ）が出力される。このとき、ＩＣカード（ＩＣカード機能を有する携帯電話１０）は、ＲＥＱ（Ｒｅｑｕｅｓｔ）コマンドを受信してから７５〜３０２μｓの間にＡＴＱを送信をしなければならない。
【００１７】
この時間内に携帯電話１０を経由してＳＤカード２０からＡＴＱを取得して送信することは困難である。そこで、携帯電話１０は、予め（決済システムの無線端末３０との通信前に）、ＳＤカード２０からＡＴＱを取得し、ＮＶメモリ１４へ登録する。
【００１８】
図３は、図１に示すＳＤカード２０が携帯電話１０に挿入（接続）された場合の動作例を示すフローチャートである。
【００１９】
まず、ＳＤカード２０が、携帯電話１０のカードスロット１２へ挿入される（Ｆ３０１）。ＳＤカード２０が挿入されたことを認識したＣＰＵ１１が、カードスロット１２の通信部よりＳＤカード２０へ機能確認コマンドを送信する（Ｆ３０２）。
【００２０】
さらに、ＣＰＵ１１は、機能確認コマンドに対するＳＤカード２０からのレスポンスデータに基づき、ＩＣカード機能をサポートしているＳＤカードか否かを確認する（Ｆ３０３）。ＣＰＵ１１が、ＩＣカード機能をサポートしていないと判断すると（Ｆ３０３、ＮＯ)、処理は終了となる。逆に、ＣＰＵ１１が、ＩＣカード機能をサポートしていると判断すると（Ｆ３０３、ＹＥＳ)、処理を継続となる。
【００２１】
ＣＰＵ１１は、ＳＤカード２０からのレスポンスデータに含まれるＩＣカード機能の通信時に使用されるボーレートなどに関する通信プロトコル情報（通信識別情報）をＮＶメモリ１４へ格納する（Ｆ３０４）。
【００２２】
さらに、ＣＰＵ１１は、初期応答データを取得するため、ＳＤカード２０に対して初期化シーケンスを実行する（Ｆ３０５）。なお、この初期化シーケンスは、実際のＩＣカードで実行されるものと同一では無く、ＳＤカード２０の初期化シーケンスやコマンドで置き換えてもよい。
【００２３】
ＣＰＵ１１は、ＳＤカード２０からのレスポンスである初期応答データを取得する（Ｆ３０６）。この初期応答データは、ＩＳＯ／ＩＥＣ７８１６で規定されているＡＴＲ（Ａｎｓｗｅｒ  Ｔｏ  Ｒｅｓｅｔ）やＩＳＯ／ＩＥＣ１４４４３で規定されているＡＴＱなどである。ＣＰＵ１１は、取得した初期応答データをＮＶメモリ１４へ格納し（Ｆ３０７）、処理を終了する。
【００２４】
図４は、図２に示す決済システムでの決済処理の動作例を示すフローチャートである。
【００２５】
ＰＯＳ端末３１の表示器は、バーコードリーダやキーボードより入力された購入物品の購入金額を表示する（Ｆ４０１）。物品購入者（携帯電話１０の所持者）は、購入代金の支払い処理のため、携帯電話１０を無線端末３０に近接させる（Ｆ４０２）。
【００２６】
無線端末３０は、携帯電話１０とＩＳＯ／ＩＥＣ１４４４３に準拠した通信プロトコルでデータ送受信を行うため、ＲＥＱ（Ｒｅｑｕｅｓｔ）コマンドを携帯電話１０へ送信する（Ｆ４０３）。携帯電話１０のＣＰＵ１１は、ＲＥＱコマンドのレスポンスとしてＮＶメモリ１４に格納されている初期応答データをＡＴＱとして出力する（Ｆ４０４）。
【００２７】
携帯電話１０のＣＰＵ１１は、ＮＶメモリ１４に格納されているＳＤカード２０より取得した通信プロトコル情報の参照を行い、その通信プロトコル情報に従った通信を行うための受信待機状態に移行する（Ｆ４０５）。購入金額の決済処理を行うため携帯電話１０と無線端末３０の間でデータ送受信が開始される（Ｆ４０６）。携帯電話１０と無線端末３０の間でのデータ送受信が終了し、購入金額の決済処理が完了したことにより、ＰＯＳ端末１１の表示器は取引終了を表示し（Ｆ４０７）、一連の処理を終了する。
【００２８】
つまり、ＣＰＵ１１は、ＮＶメモリ１４に格納された通信プロトコル情報及び初期応答データを利用したＳＤカード２０と無線端末３０との間接的な通信（Ｆ４０４、Ｆ４０５）と、ＳＤカード２０と無線端末３０との直接的な通信（Ｆ４０６）とを所定のタイミングで切り替え制御する。具体的には、ＣＰＵ１１は、ＳＤカード２０と無線端末３０との通信開始のタイミングでＮＶメモリ１４に格納された通信プロトコル情報及び初期応答データを利用したＳＤカード２０と無線端末３０との間接的な通信を実行してから、その後、ＳＤカード２０と無線端末３０との直接的な通信を実行する。
【００２９】
以上により、このような携帯電話１０を経由して、外部端末（無線端末３０）とカード型携帯可能電子装置（ＳＤカード２０）が通信を行うシステムであっても、外部端末やカード型携帯可能装置に機能追加・制約などを課さずにＩＳＯ／ＩＥＣ７８１６や１４４４３に準拠した通信処理に関する制御方法を実現することができる。
【００３０】
なお、上記説明では、カード型携帯可能電子装置の一例としてＳＤカード２０について説明したが、この発明はこれに限定されるものではない。例えば、カード型携帯可能電子装置として、携帯電話の加入者を識別するためのＳＩＭ（ｓｕｂｓｃｒｉｂｅｒ  Ｉｄｅｎｔｉｆｉｃａｔｉｏｎ  Ｍｏｄｕｌｅ）を適用することもできる。
【００３１】
なお、上記説明では、携帯電話１０は、ＳＤカード２０の接続検知をトリガとして、ＳＤカード２０と通信し、通信プロトコル情報及び初期応答情報を取得し記憶するケースについて説明したが、この発明はこれに限定されるものではない。例えば、携帯電話１０の操作入力部１５を介して電子マネー機能が指定されることをトリガとして、ＳＤカード２０と通信し、通信プロトコル情報及び初期応答情報を取得し記憶するようにしてもよい。この場合、通信プロトコル情報及び初期応答情報の記憶先としては、揮発性メモリであってもよい。携帯電話１０は、揮発性メモリは標準で搭載しており、新たに不揮発性メモリ（ＮＶメモリ１４）を搭載しなくてよい。
【００３２】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００３３】
【図１】本発明の一例の携帯電話（通信端末）及びこの携帯電話に適用可能なカード型携帯可能電子装置を説明するための図である。
【図２】図１に示す携帯電話及びカード型携帯可能電子装置を利用した決済システムを説明するための図である。
【図３】図１に示すＳＤカード２０が携帯電話１０に挿入（接続）された場合の動作例を示すフローチャートである。
【図４】図２に示す決済システムでの決済処理の動作例を示すフローチャートである。
【符号の説明】
【００３４】
１０…携帯電話（通信端末）、１１…ＣＰＵ、１２…カードスロット、１３…無線Ｉ／Ｆ、１４…ＮＶメモリ１４、２０…ＳＤカード（電子装置）、２１…ＣＰＵ、２２…記憶部、２３…接続部、３０…無線端末、３１…ＰＯＳ端末
【図１】
2007094918.tif 000003
【図２】
2007094918.tif 000004
【図３】
2007094918.tif 000005
【図４】
2007094918.tif 000006